(57)【特許請求の範囲】
【請求項１】
速やかに解放可能な針ハブコネクタアセンブリを有する針ホルダであって、
軸と、容器を受けるための開いた第１の端部と、該第１の端部とは反対側の第２の端部（１８）上の針ハブコネクタ（１６）とを有する概ね円筒形の管状胴部（１２，７０）を含み；
前記針ハブコネクタは、複数の環状に配され内方向に向けられた、ねじ切りされた可動の壁部区分（２０，２２，２４，２６）によって規定されるねじ切りされた針ハブ受けソケットを含み、；
前記ねじ切りされた壁部区分（２０，２２，２４，２６）は径方向において内方向および外方向に前記軸に向かっておよび前記軸から遠ざかるように可動であり、かつ内側ハブ取付け位置と外側ハブ解放位置との間で可動であり、前記ねじ切りされた壁部区分（２０，２２，２４，２６）は通常は前記内側ハブ取付け位置に片寄せられ、前記針ホルダはさらに；
前記ねじ切りされた壁部区分（２０，２２，２４，２６）が針ハブ（５０）を受けて取付けるために前記内側ハブ取付け位置にある第１の位置と、前記ねじ切りされた壁部区分（２０，２２，２４，２６）を外側針ハブ解放位置に片寄せる第２の位置との間で移動可能な手段（２８）を含む、針ホルダ。
【請求項２】
通常は前記移動可能な手段（２８）を前記第１の位置に片寄せる片寄せ手段を含む、請求項１に記載の針ホルダ。
【請求項３】
前記ねじ切りされた壁部区分（２０，２２，２４，２６）は、内方向および外方向に、中心軸に向かいおよび離れるように、向きを変えて移動するように取り付けられる、請求項１または２に記載の針ホルダ。
【請求項４】
前記移動可能な手段（２８）前記ねじ切りされた壁部区分（２０，２２，２４，２６）の外側肩部に沿って軸方向に片寄せられるコレット（２８）を含む、請求項１〜３のいずれかに記載の針ホルダ。
【請求項５】
前記片寄せ手段が、軸方向において前記ねじ切りされた壁部区分（２０，２２，２４，２６）に沿って滑動可能なカム手段（３０，３２，３４，３６）を含む、請求項２〜４のいずれかに記載の針ホルダ。
【請求項６】
前記カム手段（３０，３２，３４，３６）は前記コレット（２８）によって担持される、請求項５に記載の針ホルダ。
【請求項７】
前記ソケットは、４つの、環状に配される、内方向に向けられた、ねじ切りされた壁部区分（２０，２２，２４，２６）によって規定される、請求項１〜６のいずれかに記載の針ホルダ。
【請求項８】
前記片寄せ手段は、廃棄可能な容器（９０）に設けられたカム手段（９２，９４）を備え、前記カム手段（９２，９４）は、軸方向において前記壁部区分に沿って滑動可能である、請求項２に記載の針ホルダ。
【請求項９】
前記ソケットは、内側にねじ切りされた２つの区分（７６，７８）に分割された、請求項８に記載の針ホルダ。
【請求項１０】
前記区分（７６，７８）は、外側の終端部の案内手段（８４，８６）と共に形成される、請求項９に記載の針ホルダ。
【発明の詳細な説明】
技術分野
この発明は注射器およびその他のホルダのための針取外装置に関し、特に、針をホルダから速やかかつ容易に取外すための改良された抜取器に関する。
背景技術
医療および健康管理産業においては大量の皮下注射針が日々使用されており、それらは安全に廃棄されなければならない。これら使用済の針は、それらを使用する医療関係者およびそれらと接触するかもしれない他の人々にとって健康上の大きな問題を投げかけている。これら皮下注射針の安全かつ効果的な廃棄は医療および健康管理産業にとって最も大きな廃棄問題の１つとなっている。
皮下注射針は、薬物の投与、および診断目的のための血液サンプルの抜取りの両方のために広く用いられている。多くの例では、針はホルダから取外され、ホルダとは別個に廃棄される。ある場合には、特にある血液抜取装置では、ホルダは再使用される。これらの場合、針は使用者に危険をもたらすことなく容易に、速やかに、かつ安全に取外されることが重要である。
典型的な皮下注射針は、尖端を一方端に有し、取外し可能なようにホルダに取付けるためのハブを他方端またはその付近に有する、細長く薄いカニューレを含む。ハブはねじ切りされたねじコネクタ、ルアー（Luer）ロック、または他のタイプのコネクタを有してもよい。針は、針をホルダに接続する際の手助けとなるよう、取外し可能なようにハブに結合される保護管またはシースで通常は覆われる。この保護シースは、針が使用されるときになると取外される。シースは針を使用後に保護するよう覆うために用いられてもよい。しかしながら、針をシースに再び挿入しようとすると、使用者の肌を刺してしまうということがしばしば起こる。
現在広く行なわれている、血液サンプルを抜取る技術は、ベクトン・ディキンソン・カンパニー（Becton Dickinson Company）による商標バキュテイナー（VACUTAINER）のもとで販売されているような、排気される管およびホルダの組合せによるものである。これらの血液採取アセンブリは、二重針を一方端に有する管状ホルダまたは胴部を含み、排気される管状室を受ける。針は、血液を受けるために患者の組織を貫通するための外部針とともに、管状ホルダの一方端においてねじ山に沿い得るように取付けられる。内部針はシース弁で覆われ、血液を抜取るよう作用する真空管の一方端でエラストマー停止部を貫通する。
これまで、針の取外しおよび排棄のための数多くの装置が提案されてきた。これらの例は以下の特許において開示されている：
シリングトン（Shillington）     ４，６６７，８２１
シリングトン                    ４，９８４，６８６
シード（Thesd）ら               ４，９８６，８１１
サグステッター（Sagstetter）ら  ５，０８６，９２２
サグステッターら                ５，０９２，４６２
シリングトン                    ５，２４９，６８０
これら先行技術の装置は針を取外すのに一般的に効果的である。しかしながら、それらはみなさまざまな欠点を有し、たとえば、それらのほとんどは両手を使うことを必要とする。
皮下注射針のための簡単で安全かつ効果的なクイック・レリーズ針ホルダが利用可能であることが望ましい。
発明の開示
この発明の主な目的は、皮下注射針のための単純かつ効果的なクイック・レリーズ針ホルダを提供することである。
この発明の主要な局面に従うと、皮下注射針のためのクイック・レリーズ針ホルダは、針ハブ受けソケットを一方端に有する管状胴部を含み、前記針受けソケットは内方向に向けられた複数の環状顎部を規定する区分化された壁部を有し、前記顎部は、針ハブを掴み取付けるために前記顎部を内方向に向かって最も内側の位置に通常は片寄られるために針ハブ手段を受けて掴み：さらに、前記顎部を針ハブ解放位置に解放可能なように片寄らせるための手段を含む。
【図面の簡単な説明】
この発明の目的、利点および特徴は、添付の図面と関連させて読むと、以下の詳細な説明からより容易に明らかとなる。
図１は、詳細を明らかにするために部分的に分解された、この発明の好ましい実施例の斜視図である。
図２は、針がホルダソケットに近接する状態で、ソケットが放出位置にある状態を示す分解図である。
図３は、図１の３−３線上で概ねとられる断面図である。
図４は、針ホルダが放出位置にある状態を示す、図３と同様の断面図である。
図５は、図１の５−５線上で概ねとられる、図４と同様の断面図である。
図６は、詳細を示すために部分的に分解された、この発明の代替的実施例を示す斜視図である。
図７は、図６のホルダのための放出器容器の上面平面図である。
図８は、針ホルダが放出器に挿入されるために位置づけられる状態を示す、側面立面断面図である。
図９は、この発明のさらなる実施例の部分側面立面図である。
図１０は、図９のホルダのための放出器容器の上面平面図である。
図１１は、図９の針ホルダが図９の放出器容器に挿入されるために位置づけられる状態を示す、断面での側面立面図である。
この発明を実施するためのベストモード
図面の図１を参照して、血液採取アセンブリのホルダにおいて実施されるこの発明の例示的実施例を示す。血液採取アセンブリは、開放端に指フランジ１４を有し、かつ他方端に番号１６で概ね示される針ハブ取付ソケットを含むネック部を有する概ね円筒形の管１２を含む。この発明は血液採取アセンブリのために特定的に考案されたものであるが、注射器、IV管状部位コネクタ等他の皮下注射針ホルダにも適用可能である。
図１〜３および４に示されるように、管またはホルダは、４つの区分２０、２２、２４および２６に区分化された、低減された、前方に突出するネック部または環状壁部から形成される低減された針ハブ取付ソケットを伴う前方端壁部１８を有する。これらの区分は、針ハブをねじ山に沿い得るように受けて取付けるためのソケットを形成する、内方向に向けられた複数の環状顎部材２０、２２、２４および２６を規定する。顎部材は、針の、ねじ切りされたハブをねじ山に沿い得るように受けるための内部ねじ山３８を伴って形成される。顎部は同軸的に延び、胴部１２の中央長手方向軸の周囲において環状に間隔をとられる。顎部は、さらに、針の、ねじ切りされたハブを掴みおよび解放するために、内方向および外方向に向かって、中心軸に向かいおよび中心軸から離れるよう旋回するように取付けられる。顎部間の溝（図３）は、外側端から内方向へ向かって、内方または最も内側の部分において真っ直ぐな部分を形成する内側の対向する表面４２へとテーパする、最も外側の対向する表面４２から形成される。
長手方向に滑動可能なコレット２８は、顎部材２０〜２６に取付けられ、それらの周囲を延び、それらの上で軸方向に往復運動するよう滑動可能に取付けられる。このコレットは、それぞれの顎部２０〜２６間の面４０および４２によって形成される溝の中へと延びる、内方向に延びる楔部材３０、３２、３４および３６を含む。楔部材３０〜３６は、図２および図４に示されるように、顎部材を外方向に向かって針ハブ解放位置に片寄せるために、顎部材間の溝の面４０および４２との係合をカムする（回転運動を往復運動に変える）ためのカム手段として作用する。コレットは、針のハブとのねじ山係合のために顎部を最も内側の位置に保持するために、図１および図３に示されるように弾性の環４４によって通常は最も前方の位置に片寄せられる。
コネクタアセンブリは、図２に示されるような型の針の、ねじ切りされたハブをねじ山に沿い得るように受けるかまたは掴むよう設計される。コレット２８は、顎部が針のハブをねじ山に沿い得るように受け得るよう、シリコンの環またはばね４４によって通常は最も前方の位置に片寄せられる。コレットは、カムで顎部を開いて針のハブを解放するよう、図２および図４に示されるように最も後方の位置に片寄せられてもよい。
図２を参照して、針コネクタアセンブリは、図示されるように、従来の針アセンブリを取付けて保持するよう設計される。針は、中央の、径方向に延びる円板状フランジ５２を、そこから延びるねじ切りされた鋲状部材５４とともに含む、番号５０で概して示されるハブに取付けられかつそこから両方向に延びる、細長い中空のカニューレ４８を有する。スプラインまたは溝のついた継手は針アセンブリの前方端に形成され、径方向に延びるスプラインまたはリブ５６、５８、６０および６２を含む。カニューレは、外側または外部針と、弁を形成するシリコンシース６４により覆われる内側または内部針とを有する。
針は、ねじ山に沿い得るように針ハブアセンブリをソケット内に延ばすことによって、保持部およびコネクタアセンブリに取付けられる。針フランジ５２は顎部の外側端と係合し、ねじ切り部５４を停止または位置決めする。コレットの解放により、ばねはコレットを前方に押して顎部をそれらの内側掴み位置に強制して、針アセンブリのハブを掴むかまたはねじ山に沿い得るように受ける。これにより、管１２内の内側針は係合して真空の血液採取管の停止部を貫通するよう位置決めされる。
針を取外すことが所望される場合、コレットは図２、図４および図５に示される位置に向かって単に後方に動かされ、顎部を開放するよう片寄せられ針ハブを解放させて、針を取外する。これは、好ましくは、針が速やかに解放されて廃棄可能な容器に直接落ちるよう、図４および図５に示されるように、廃棄可能な容器にあるアパーチャまたは開口部を取囲む環状肩部によって達成される。図４および図５に示されるように、廃棄可能な容器の壁部１４８は、周囲を取囲む環状肩部１５２を有するアパーチャ１５０を設けられる。コレット２８は肩部１５２と係合させられ、ホルダは軸方向において前方に押される。これにより、コレットは弾性環４４に対し図示されるように後方に押され、顎部２０〜２６はカムによって開放して、針がソケットから落ちるようにする。
図５を参照して、顎部のさらなる詳細は、各顎部の後面上に肩部１５４を示す。コレット２８は、肩部１５４を受ける凹部１５６と、前方位置に来るとそれに係合する肩部１５８とを有する。この構造は、コレットを顎部上に保持し、顎部を内側の閉位置に保持する。
図６を参照して、対向する保持用顎部７６および７８をそれぞれ規定する２つの対向する区分によって形成される環状の、前方に延びる壁部を含むコネクタアセンブリが突出する前方端壁部７２を有する胴部７０を血液採取ホルダが含む、この発明の代替的実施例を示す。この顎部は、内側の、半円形状の、ねじ切りされた面８０および８２を伴って形成され、これらは、針の、ねじ切りされたハブをねじ山に沿い得るように受けるよう、図示されるようにねじ切り部を含む。この顎部材は、好ましくは、皮下注射針のねじ切りされたハブをねじ山に沿い得るように受けるために、図示されるように通常は最も内側の位置に片寄せられるように設計される。したがって、針は、先の実施例において示されるように、ねじ山に沿い得るようにアセンブリに取付けられてもよい。
図７および図８を参照して、クイック・レリーズ装置は、カムによって顎部を開放して針を解放するようにカム装置の形式で設けられる。このカム装置は、廃棄可能な容器の壁部において、または容器のための挿入体として形成されてもよい円筒状の容器９０を含む。この管状容器は、ホルダ７０を受けるような直径と、内側端において近接し、かつ針が通過するアパーチャ９６の対向側部上にある１対の楔カム９２および９４とを有する。
針を取外すことが所望される場合には、ホルダは、図８に示されるように容器と整列させられ、容器に挿入されて２つのカムと係合する。カム部材が、顎部７６および７８を分離する溝と速やかにかつ容易に係合できるよう、テーパした案内部８４および８６が顎部材７６および７８の前方端に設けられる。溝がこれら楔と係合し、ホルダを下方向に押してカムまたは楔と係合させることにより、顎部はカムによって開位置にされて針アセンブリのハブを解放する。針アセンブリは次いでソケットからアパーチャ９６を介して容器内に落ちる。
図９〜図１１を参照して、案内または配向手段が胴部および容器の側にある、この発明のさらなる実施例を示す。これにより、前方への突出部が取除かれ、胴部またはホルダを従来のサイズに保つ。この実施例では、ホルダの胴部１００は、溝１０８および１１０によって分離される区分１０４および１０６で形成される、前方に延び、直径を短縮された環状壁部を設けられる。これら区分は、先の実施例にあるように、針の、ねじ切りされたハブをねじ山に沿い得るように受けるよう、内部ねじ山１１２および１１４を設けられる。これら区分は、胴部の前方端において接続または形成され、最も内側の位置に通常は位置決めされる顎部を規定する。それらは、わずかに傾斜をつけられるか、またはカムによって外方向に向かって最も外側の位置にされて、針の、ねじ切りされたハブを解放してもよい。
図１０および図１１を参照して、管状容器１１６の形式の針リレーズ装置は、挿入体として設けられるか、または廃棄可能な容器の壁部に成形される。この容器は、カムにより顎部を外方向に動かして針を解放するよう溝１０８および１１０を係合するために、アパーチャ１１８と、各側に楔形カム１２０および１２２で針ホルダの胴部を受けるよう、細長いボアを有する。ホルダの胴部１００は、容器１１６の側部で案内溝１２６と協動的に係合する、起こされた案内リブまたは突出部１２４を設けられる。これはカムを案内してそれを溝と整列させ、顎部をカムにより開放させて針を容器（図示せず）内に解放する。リブおよび案内溝は任意の所望の幅であってよい。リブはさらに任意の好適な長さであってよい。さらに、その機能は、小さいピンまたはノブ等の、任意の好適な突起物によって達成されてもよい。
いくつかの例においては、案内溝およびリブは取除かれてもよい。カム１２０および１２２の上方端と係合する溝１０８および１１０の端部は、溝およびカムを整列させる移動止めとして作用し得る。
我々の発明を特定の実施例によって説明したが、添付の請求の範囲に規定されるように、この発明の精神および範囲から逸脱することなく、多数の変更および修正がそこになされてもよい。
【図１】
0003743573.tif 000002
【図２】
0003743573.tif 000003
【図３】
0003743573.tif 000004
【図４】
0003743573.tif 000005
【図５】
0003743573.tif 000006
【図６】
0003743573.tif 000007
【図７】
0003743573.tif 000008
【図８】
0003743573.tif 000009
【図９】
0003743573.tif 000010
【図１０】
0003743573.tif 000011
【図１１】
0003743573.tif 000012